(57)【要約】      （修正有）【課題】乗員等との接触等があっても電装品の取付け位置が変化せず、且つ取付け構造がシンプルな取付け具を提供すること【解決手段】取付け具１は、車両側取付け部２０と電装品側取付け部１０とからなる。車両側取付け部２０は、レール方向に伸びるレール受け２３と弾性部３０とを有し、弾性部３０は、レール方向とは異なる第一の方向に押圧力を生み出す押圧部を有する。電装品側取付け部１０は、レール方向に伸びるレール１６と、押圧部に対向する被圧部１４を有する。車両側取付け部２０には、押圧部の押圧力の少なくとも一部を受け止める受止め部２２ａａと、この押圧力により、受け止め部２２ａａが生み出す応力の方向は、組合せ方向および第一の方向により定まる仮想平面上に無い第二の方向であり、車両側取付け部２０のレール受け２３と電装品側取付け部１０のレール１６とは、押圧力により組み合わされて相互に固定される取付け具である。【選択図】図６
2017114466.tif 000002
【特許請求の範囲】
【請求項１】
少なくともカメラまたはレーダの何れかが搭載された車載用電装品を、フロントガラスを有する車両に取り付ける取付け具であって、
当該取付け具は、車両側取付け部と電装品側取付け部とからなり、
前記車両側取付け部は、レール方向に伸びるレール受けと弾性部とを少なくとも有し、
前記弾性部は、前記レール方向とは異なる第一の方向に押圧力を生み出す押圧部を有し、
前記電装品側取付け部は、前記レール方向に伸びるレールと、前記押圧部に対向し前記押圧力の少なくとも一部を受ける被圧部を有し、
前記車両側取付け部には、前記被圧部を介して前記押圧部の前記押圧力の少なくとも一部を受け止める受止め部と、
前記押圧力の前記少なくとも一部により前記受け止め部に生じる応力の方向は、前記組合せ方向および前記第一の方向により定まる仮想平面上に無い第二の方向であり、
前記車両側取付け部の前記レール受けと前記電装品側取付け部の前記レールとは、前記押圧力により組み合わされて相互に固定される取付け具。
【請求項２】
少なくともカメラまたはレーダの何れかが搭載された車載用電装品を、フロントガラスを有する車両に取り付ける取付け具であって、
当該取付け具は、車両側取付け部と電装品側取付け部とが組み合わされた状態の構成を有し、
前記車両側取付け部と前記電装品側取付け部の、何れかの一方には弾性体および組合せガイドを、何れかの他方には前記組合せガイドを受けるガイド受けを、それぞれ少なくとも有し、
前記弾性体は、組合せ方向とは異なる第一の方向に押圧力を生み出す押圧部を有し、
前記何れかの他方には、前記押圧部に対向し前記押圧力の少なくとも一部を受ける被圧部を有し、
前記何れかの一方には、前記被圧部を経由した押圧力であって、前記押圧部の押圧力の少なくとも一部を受け止める受止め部を有し、
前記押圧力の前記少なくとも一部により前記受け止め部に生じる応力の方向は、前記組合せ方向および前記第一の方向により定まる仮想平面上に無い第二の方向であり、
前記車両側取付け部と前記電装品側取付け部とは、前記押圧力により組み合わされて相互に固定される取付け具。
【請求項３】
前記弾性部は板バネで構成される、請求項１または２の何れかに記載の取付け具。
【請求項４】
前記押圧力の前記レール方向に作用する分力は、少なくとも電装品側取付け部を車両側取付け部に押し付け、固定する方向に作用する、
請求項１から３の何れかに記載の取付け具。
【請求項５】
前記車両側取付け部と前記電装品側取付け部の、何れかの一方は上面と下面を有し、前記下面は前記上面に対して傾斜している、
請求項１から４の何れかに記載の取付け具。
【請求項６】
前記弾性部は、少なくとも押圧部を含む部位を、押圧力とは異なる方向に弾性変形し、前記電装品側取付け部を前記車両側取付け部から離脱可能な状態にする、
請求項１から５の何れかに記載の取付け具。
【請求項７】
請求項１から６の何れかに記載した前記取付け具の前記車両側取付け部を、前記車両の前記フロントガラスの車室内側、または前記車室内に取り付けた車両。
【発明の詳細な説明】
【技術分野】
【０００１】
本発明は、車載用電装品の取付け具、特に車室内のフロントガラスまたはその近傍への取付け具に関するものである。
【背景技術】
【０００２】
従来、車両のフロントガラスの車室内側に取り付けて使用する車載用レーダが開発されていた（例えば、特許文献１（図２（ａ））参照）。
【０００３】
この車載用レーダをフロントガラスへ取り付ける構造としては、例えば、フロントガラスに取付け用の部品を接着等で固定し、その取付け用の部品にバネを用いて車載用レーダを保持する方法などが考えられている。
【先行技術文献】
【特許文献】
【０００４】
【特許文献１】特開２０１３−２１７８８６号公報
【発明の概要】
【発明が解決しようとする課題】
【０００５】
車載用電装品には、レーダのみならずカメラも含まれる。更にレーダとカメラが一体化された電装品も含まれる。これらの電装品は、運転時における車両前方の外部情景とこれに含まれる対象物の位置情報を取得し、運転者に安全運転のための情報を提供する。更に他の電装品は、これに加えて、危険回避のための自動運行を制御する機能等も有する。これらの電装品は、車両前方の情景を撮像等するために、通常車両のフロントガラス裏面またはその近傍に設置される。その場合この外部情景に含まれる対象物の位置情報は、電装品の車両における取付け位置を基準に求められる。従って、この電装品により車両運行が安全であるか否かを正確に判断するためには、この電装品の車両取付け位置が変化しないことが必須となる。特にカメラ等の光軸のズレは、外部情景内に含まれる対象物の位置検出に大きく影響する。一方車室内では、乗員が乗り降りする際に、体の一部や持ち物が、この電装品と接触し、衝突することがある。その際、電装品の取付け位置が変化してはならない。仮にその位置が変化すると、カメラやレーダでは、その光軸や電波発信軸が変化する可能性がある。その結果、車両前方の情景に関する位置情報が、車両に対して大きくずれる。これにより情景情報に含まれる対象物と車両とが衝突するか否かを正しく判断できない場合が生じる。
【０００６】
他方、乗員と電装品との衝突により、乗員の体を傷つけないことも求められる。従って電装品の車両への取付けにおいては、電装品に一定強度以上の衝撃が加わった場合、この電装品が外れることにより、人体への外傷等を防止することも求められる。
【０００７】
そこで車載用電装品を車両に取り付ける際は、乗員等との接触や衝突があっても、電装品取付け位置が変化しないことが求められる。また一定以上の強度で人体の一部が衝突した場合、電装品が外れ、人体への損傷を防止することも求められる。更にかかる取付け具は、製造コストを抑えるためにも、構造がシンプルであるのがよい。具体的には、取付け具は、使用されるバネや弾性部材の数が少ないことが望ましい。
【０００８】
本発明は、前記問題に鑑みてなされたものであり、乗員等との接触等があっても電装品の取付け位置が変化せず、且つ取付け構造がシンプルな取付け具を提供することを目的とする。
【課題を解決するための手段】
【０００９】
前記課題を解決するため、本発明に係る取付け具は、少なくともカメラまたはレーダの何れかが搭載された車載用電装品を、フロントガラスを有する車両に取り付ける取付け具であって、当該取付け具は、車両側取付け部と電装品側取付け部とからなり、前記車両側取付け部は、レール方向に伸びるレール受けと弾性部とを少なくとも有し、前記弾性部は、前記レール方向とは異なる第一の方向に押圧力を生み出す押圧部を有し、前記電装品側取付け部は、前記レール方向に伸びるレールと、前記押圧部に対向し前記押圧力の少なくとも一部を受ける被圧部を有し、前記車両側取付け部には、前記被圧部を介して前記押圧部の前記押圧力の少なくとも一部を受け止める受止め部と、前記押圧力の前記少なくとも一部により、前記受け止め部が生み出す応力の方向は、前記組合せ方向および前記第一の方向により定まる仮想平面上に無い第二の方向であり、前記車両側取付け部の前記レール受けと前記電装品側取付け部の前記レールとは、前記押圧力により組み合わされて相互に固定される取付け具である。
【００１０】
ここで、車載用電装品は、各種の電子制御ユニット（ＥＣＵ：Electronic Control Unit）を含んだ装置であり、例えば、ミリ波レーダ、レーザレーダ、カメラといった車載用障害物検出装置や、ワイパー装置を自動で制御するためのレインセンサ、エアコン装置を自動で制御するための日射センサといったセンサ類である。
【発明の効果】
【００１１】
かかる構成によれば、取付け具は、車両側取付け部と電装品側取付け部とが弾性力により組み合わされる際、レールとレール受けによる組合せ方向（レール方向）とは異なる２つの方向から組み合わされる。ここで２つの方向とは、弾性体が生み出す押圧力の方向とこの力を受け止める車両側取付け部の受け止め部の応力の方向である。即ち電装品側取付け部には、弾性力が生み出す方向の押圧力と、この応力に起因して生じる２つの力である、この力を受け止める応力およびレールとレール受けにより導かれる組合せ方向の力が作用する。これらの力は、一つの仮想平面上にはない方向の力である。これらにより、車両側取付け部と電装品側取付け部との組み合わせ部分に隙間があっても、この隙間の状態を固定する与圧が所定方向に加わることで、両者の位置を固定する。そしてこの取付け具により車両に固定された電装品に、外部から衝撃等が加わった場合でも、この隙間状態は維持され、ズレやガタが生じない。加えて本発明によれば、従来の取付け構造よりも使用する部品数が少ないので、製造コストが安価である。
【図面の簡単な説明】
【００１２】
【図１】実施形態に係る取付け具を用いて車載用電装品をフロントガラスに取り付けた状態の様子を説明するための図である。
【図２】実施形態に係る取付け具に車載用電装品を取り付けた状態の外観斜視図（前方側）である。
【図３】実施形態に係る取付け具に車載用電装品を取り付けた状態の外観斜視図（後方側）である。
【図４】実施形態に係る取付け具を車載用電装品（電装品側取付け部）から取り外した状態の要部拡大斜視図（前方側）である。
【図５】実施形態に係る取付け具を車載用電装品（電装品側取付け部）から取り外した状態の要部拡大側面図である。
【図６】実施形態に係る取付け具を車載用電装品（電装品側取付け部）から取り外した状態の要部拡大斜視図（後方側）である。
【図７】実施形態に係る取付け具に電装品側取付け部を取り付けた状態の底面図である。
【図８】実施形態に係る取付け具に車載用電装品を取り付ける工程を説明するための図であり、図８（ａ）は第１工程を示し、図８（ｂ）は第２工程を示し、図８（ｃ）は第３工程を示す。
【図９】実施形態に係る取付け具の変形例を説明するための図である。
【発明を実施するための形態】
【００１３】
以下、本発明を実施するための形態について、適宜図面を参照しながら詳細に説明する。なお各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている場合がある。なお、各図において、共通する構成要素や同様な構成要素については、同一の符号を付し、それらの重複する説明を省略する。
【００１４】
≪実施形態に係る車載用電装品の取付け具≫
図１に示すように、取付け具１は、電装品側取付け部１０と車両側取付け部２０とが組み合せられることより構成される。この取付け具１は、車両のフロントガラスまたはその近傍の車室側に車載用電装品２を取り付けるために使用される。ここで、車載用電装品２は、各種の電子制御ユニット（ＥＣＵ：Electronic Control Unit）を含んだ装置であり、例えば、ミリ波レーダ、レーザレーダ、カメラといった車載用障害物検出装置である。本実施形態では、図２に示すように、車載用電装品２として、ミリ波レーダ２ａおよびカメラ２ｂを筺体２ｃ内に具備した複合センサを想定している。車載用電装品２は、ミリ波レーダ２ａにおける電波の発射方向（図２の矢印α）およびカメラ２ｂの撮像方向（図２の矢印β）が車両の進行方向（正面）を向くように取付け具１を用いて固定される。
【００１５】
＜電装品側取付け部＞
図３に示すように、車載用電装品２の筺体２ｃの上部後方には、車両側取付け部２０に取り付けられる凸状の電装品側取付け部１０がある。電装品側取付け部１０は、筺体２ｃと同一材質で連続した状態で構成された一体成型構造を有してもよいし、筺体２ｃと別部材として構成され、相互に接合されてもよい。本実施形態では、電装品側取付け部１０と筺体２ｃとが別部材として構成されて、接合されているものとする。以下では、まず、電装品側取付け部１０の説明を行う。
【００１６】
図４に示すように、電装品側取付け部１０は、車載用電装品２の上面に配置され、上方に向かって凸形状を有している。この電装品側取付け部１０は、上面１１が傾斜している形状を有する。ここで上面１１は、下面１２に対して角度θ（°）だけ傾斜している。この傾斜角度θは、車両のフロントガラスの傾斜角度に対応させている。つまり、傾斜角度θは、取り付ける車両のフロントガラスの傾斜角度により、適宜選択する。一般に車両のフロントガラスの傾斜角度は、車種や車両メーカによって異なる。それぞれの傾斜角度に対応する傾斜を有する電装品側取付け部をあらかじめ準備し、取付け時点で選択して用いることで、車種に関係なく電装品を所定角度で設置することができる。
【００１７】
図４に示すように、電装品側取付け部１０の左右両方の側面１５，１５には、それぞれ側方に突出したレール１６，１６が設けられている。このレール１６は、車両側取付け部２０に電装品側取付け部１０を取り付ける際に、取付け位置に案内するためのものである。レール１６は、後記する車両側取付け部２０のレール受け２３に対応する形状を有している。ここでは、レール１６は、縦長の形状であり、長さ方向の中心軸が上面１１に対して直交（前面１３および後面１４に平行）している。
【００１８】
＜車両側取付け部＞
車両側取付け部２０は、電装品側取付け部１０を支持して車載用電装品２（図２参照）をフロントガラスに固定するものである。車両側取付け部２０は、図５に示すように、弾性部３０を有している。
【００１９】
車両側取付け部２０は、図６に示すように、板状の天板部２１と、天板部２１の外周縁の半分の範囲に形成される壁部２２と、この壁部２２の両端に形成される一対のレール受け２３，２３と、を備えて構成されている。車両側取付け部２０は、例えば、合成樹脂からなり、天板部２１、壁部２２およびレール受け２３は、同一材料により連続した状態で一体的に成形されている。
【００２０】
天板部２１は、上方から見た形状（平面視）が略矩形の板材である（図４参照）。天板部２１の上面２１ａには、図示しない接着シートが設置され、この接着シートを用いてフロントガラスの車室側に固定される。なお、天板部２１の上面２１ａには、接着シートに代えてペースト状または液状の接着剤が塗布されてもよい。一方車両の天井下面に設置される場合は、例えば天板部２１が車両の天井にビス止め等により固定される。また、電装品側取付け部１０が車両側取付け部２０に取り付けられた場合において、天板部２１の下面２１ｂは、電装品側取付け部１０の上面１１に、押圧力が作用している状態で、その少なくとも一部が接して固定されている。以下、「押圧力が作用している状態で、その少なくとも一部が接して固定されている」ことを「当接」という用語で説明する。天板部２１の下面２１ｂは、第１当接面である。
【００２１】
図６に示す通り、車両側取付け部２０の壁部２２は、天板部２１の下面２１ｂ前方から直角方向に突出する前壁２２ａと、前壁２２ａと連続して天板部２１の下面２１ｂ左右側にそれぞれ形成される側壁２２ｂ，２２ｂとからなる。前壁２２ａの厚さは、左前方で薄く、右前方で厚くなっている。これに伴って、前壁２２ａの内面２２ａａは傾斜している。これに対応して図４および図７に示す通り、電装品側取付け部１０の前面１３は前後方向に傾斜している。つまり電装品取付け部１０の左側端部の前後方向の長さは、その右側端部の前後方向の長さより長くなっている。そして図７に示す通り、電装品側取付け部１０が車両側取付け部２０に取り付けられた場合において、前壁２２ａの傾斜した内面２２ａａは、電装品側取付け部１０の傾斜した前面１３に当接している。
【００２２】
一方、両側壁２２ｂの内面２２ｂａは、電装品側取付け部１０が車両側取付け部２０に取り付けられた場合において、電装品側取付け部１０の側面１５が当接せずに空間があいている。壁部２２の高さは、電装品側取付け部１０の前面１３の高さ方向の寸法よりも小さいことが望ましい。壁部２２の高さを、電装品側取付け部１０の上面１１より小さくしたのは、電装品側取付け部１０が車両側取付け部２０に取り付けられた場合に、壁部２２の先端が車載用電装品２の筺体２ｃ（図２参照）に接触しないようにするためである。また、側壁２２ｂ，２２ｂは、本実施形態では全側長の半分の長さである。したがって、レール受け２３，２３より後側には、側壁２２ｂ，２２ｂは形成されていない。
【００２３】
図７に示す通り、両レール受け２３，２３は、車両側取付け部２０の前後方向幅の略中央に、互いに対向する位置に壁部２２と連続して配置されている。各レール受け２３の内側には、縦溝２３ａ（上下方向の溝）がある。この縦溝２３ａは、下方から見た形状（底面視）が略コの字状（またはＵ字状）をなしている。両レール受け２３，２３は、電装品側取付け部１０が車両側取付け部２０に組合わされた場合に、電装品側取付け部１０の両側面１５，１５に接すると共に、縦溝２３ａがレール１６，１６に接して組み合わせられる。つまり、両レール受け２３，２３間の距離は、電装品側取付け部１０の横幅と同等にするのがよく、縦溝２３ａの形状や深さは、レール１６，１６の寸法に合わせるのがよい。これにより、レール受け２３，２３は、電装品側取付け部１０を取付け位置まで導くことができる。
【００２４】
また、各レール受け２３の上下方向の高さは、側壁２２ｂよりも大きく、電装品側取付け部１０の中央部の高さよりも小さいのが望ましい。レール受け２３，２３の高さを調整したのは、電装品側取付け部１０を取付け位置まで導きやすくすると共に、電装品側取付け部１０が車両側取付け部２０に取り付けられた場合に、レール受け２３，２３の先端が車載用電装品２の筺体２ｃ（図２参照）に接触しないようにするためである。
【００２５】
＜弾性部＞
車両側取付け部２０には、図５に示すように、弾性部３０が配置されている。弾性部３０は、この弾性部３０を車両側取付け部２０に接合して固定する接合部３１と、電装品側取付け部１０を弾性力により保持して固定する傾斜部３２およびその前方面（内面）３２ａと、電装品側取付け部１０を車両側取付け部２０に装着する際に弾性部３０を後方に押し広げるための補助部位である端部３４とを有する。傾斜部３２の傾斜面は、板バネそのものをこの形状に合う様に成型しても良い。あるいは板バネそのものには傾斜面構造を持たせずに、樹脂等で形成された傾斜面を有する三角柱形状の別部材を、板バネに接着固定することで構成しても良い。
接合部３１は、車両側取付け部２０の天板部２１に接合される部分であり、天板部２１にどのような手段で接合されていてもよい。例えば、ペースト状または液状の接着剤を用いて接合部３１と天板部２１とを接合してもよいし、ビス等を用いて接合してもよい。接合部３１を天板部２１に接合する位置は、車両側取付け部２０の取付け位置において、弾性部３０の弾性変形によって押圧力を生み出し、傾斜部３２の傾斜面である押圧部３２ａが、電装品側取付け部１０の後面の傾斜面である被圧部１４を押圧し、その押圧力によって前面１３が車両側取付け部２０の前壁２２ａの内面２２ａａ（受け止め部）、および天板部２１の下面２１ｂを押圧する位置にする。
【００２６】
端部３４は、車両側取付け部２０に電装品側取付け部１０を装着し、または取り外す場合に、人が弾性部３０を後方に押し広げるためのものである。この押し下げ方向は、少なくとも弾性部３０が生み出す押圧力とは異なる方向である。この端部３４は、前後方向において傾斜部３２の最前部の位置と同等か、またはそれより後方に配置されていることが好ましい。端部３４を後方に押し広げることによって、傾斜部３２と被圧部１４との、かみ合わせ状態を解消する。この状態で、電装品側取付け部１０を下方に移動させることで、車両側取付け部２０から電装品側取付け部１０が外れる。
【００２７】
他方乗員等は車両への条項時にこの電装品とが衝突した場合、その衝撃力が弾性部３０の傾斜部３２を押し広げる方向に作用し、電装品側取付け部１０が外れる。これにより乗員等の人体への外傷を最小限に抑えることも可能になる。
【００２８】
＜取付け具１の構造＞
次に、電装品側取付け部１０と車両側取付け部２０とが組み合せられることより構成される取付け具１の構造について、その後方および前方の構造を順次説明する。
【００２９】
まず取付け具１の後方の構造について説明する。電装品側取付け部１０は、弾性部３０の傾斜部３２の内面３２ａに接触することで、弾性部３０が生み出す押圧力を受ける被圧部１４を有している。ここで弾性部３０の傾斜角度は、電装品側取付け部１０を保持していない状態の場合には、この被圧部１４の傾斜より、一層傾いた傾斜、即ち図５において傾斜部３２がより前方に傾いている傾斜状態を有しても良い。弾性部３０が、電装品側取付け部１０を保持した際、弾性変形による押圧力を生み出すためである。そして弾性部３０と被圧部１４とが組み合わされることで、電装品側取付け部１０が車両側取付け部２０に装着され、固定された状態では、被圧部１４は弾性部３０から所定の押圧力を受ける。この時点における押圧力の方向は、電装品側取付け部１０を車両側取付け部２０に組み合わせて固定する際の組合せ方向（レールおよびレール受けが導く方向）とは異なる方向である。この方向を異ならせることで、後述する車両側取付け部２０の受け止め部２２ａａに作用する応力の方向との相互作用により、電装品側取付け部１０を車両側取付け部２０にガタなく組み合わせて固定することができる。
【００３０】
次に取付け具１の前方部分の構造について説明する。図４に示す通り、電装品側取付け部１０の前面１３は前後方向に傾斜している。つまり電装品取付け部１０の左側端部の前後方向の長さは、その右側端部の前後方向の長さより長くなっている。これにより、図７の平面図で明らかなとおり、端面１３は傾斜面をなしている。これに対応して、車両側取付け部２０の前壁２２ａの厚さは、左前方で薄く、右前方での厚くなっており、これに伴って、前壁２２ａの内面２２ａａは傾斜している。電装品側取付け部１０が車両側取付け部２０と組み合わされ固定された際に、前壁２２ａのこの傾斜が、電装品取付け部１０の前面１３の傾斜に沿って押圧力を伴いつつ接触する。即ち、電装品取付け部１０は弾性体３０の押圧力により前方上方向に押され、この力により、電装品取付け部１０の端部１３は、車両側取付け部２０の前壁２２ａの内面２２ａａに向かって押圧される。なお本実施形態では、レール１６の前方面とレール受け２３との間には隙間があり、弾性体３０の押圧力により、電装品取付け部１０の前面１３の方が先に前壁２２ａの内面２２ａａに当接する構造であるとしている。
【００３１】
この押圧力の反力として、電装品取付け部１０は車両側取付け部２０から応力を受ける。この応力の方向は、この傾斜面に垂直な方向である。従ってこの応力の方向は、電装品側取付け部１０を車両側取付け部２０に組み合わせる方向（レールおよびレール受けが導く方向）と、電装品側取付け部１０の被圧部１４が弾性部３０から受ける押圧力の方向（第一の方向）とにより定まる仮想平面上に無い方向（第二の方向）である。
【００３２】
以上の説明を整理すると、電装品取付け部１０は、弾性部３０の弾性力により、これ以外に２つの分力を受ける。一つは、電装品側取付け部１０を車両側取付け部２０に組み合わせる方向（レールおよびレール受けが導く方向）に導かれる力である。二つ目は、電装品取付け部１０の端部１４が、車両側取付け部２０の前壁２２ａの内面２２ａａから受ける応力である。電装品取付け部１０に作用するこれら３つの力が、一つの仮想平面上に含まれない状態で作用すると、電装品側取付け部１０は、車両側取付け部２０に対して、前後、左右、上下方向に与圧がかかることになる。仮に電装品側取付け部１０と車両側取付け部２０との組み合わせ部分に隙間があっても、この与圧が作用することで、この隙間は所定の状態で固定され、ガタが生じない。
【００３３】
加えて図５にて模式的に示す通り、弾性部３０により被圧部１４が受ける押圧力ベクトルＰを、電装品側取付け部１０を車両側取付け部２０に組み合わせる方向（レールおよびレール受けが導く方向）に分解した分力Ｐtは、これらを組み合わせて固定する方向に向いている。これにより、電装品側取付け部１０の抜け止め作用と共に、この分力Pｔが、天板部２１の下面２１ｂを押すことで、組合せ力としても機能している。
【００３４】
以上説明した通り、本発明においては、一方向のみ作用する弾性体により、電装品側取付け部１０は、車両側取付け部２０に対して、前後、左右、上下方向に与圧がかかり、且つ状態電装品側取付け部１０が抜け落ちない方向で固定される。これにより仮に電装品側取付け部１０と車両側取付け部２０との間に間隙があっても、これらが本実施形態の弾性体３０により一旦固定された後は、この間隙の状態が維持される。仮に電装品側取付け部１０に外部から衝撃力が加わった場合でも、この衝撃力が、この隙間の状態を保持している与圧力を越えない限り、この隙間の状態は維持され、結果的に電装品は位置ずれを起こすことが無い。従ってシンプルな弾性体構造により、位置ずれが無く、製造コストが安価な取付け具を実現できる。
【００３５】
≪実施形態に係る取付け具の使用態様≫
図８を参照して、車両側取付け部２０を用いた車載用電装品２の取付け方法について説明する。
【００３６】
まず最初に、車載用電装品２の取り付けを行う者（以下では、「取付け者」という。）は、フロントガラスの車室側の所定位置（例えば、バックミラーの前方）に、車両側取付け部２０を固定する（図８（ａ）参照）。この際、車両側取付け部２０の向きは、車両の進行方向に対して弾性部３０が後方になるようにする。
【００３７】
続いて、取付け者は、レール受け２３の縦溝２３ａ（図６参照）に電装品側取付け部１０のレール１６の位置を合わせる。そして、弾性部３０の端部３４を弾性力に抗して後方に押し広げると同時に、電装品側取付け部１０を車両側取付け部２０に下方から上方に向かって縦溝２３ａに沿って押し込む（図８（ｂ）参照）。
【００３８】
その後、弾性部３０の端部３４を戻す。その結果、車両側取付け部２０は、弾性部３０の傾斜部３２が弾性変形して電装品側取付け部１０を受け入れ、固定される（図８（ｃ）参照）。この図８（ｃ）に示す状態では、傾斜部３２が電装品側取付け部１０を前方上方向に押圧している。その為、車両が走行することによって振動が発生しても、車載用電装品２は、車両側取付け部２０にしっかりと固定されているので、ガタつくことがない。
【００３９】
＜まとめ＞
以上の通り、本実施形態にかかる取付け具１は、少なくともカメラまたはレーダの何れかが搭載された車載用電装品２を、フロントガラスを有する車両に取り付ける取付け具１であって、当該取付け具は、車両側取付け部２０と電装品側取付け部１０とからなり、車両側取付け部２０は、レール方向に伸びるレール受け２３と弾性部３０とを少なくとも有し、弾性部３０は、レール方向とは異なる第一の方向に押圧力を生み出す押圧部３２ａを有し、電装品側取付け部１０は、レール方向に伸びるレール１６と、押圧部３２ａに対向し前記押圧力の少なくとも一部を受ける被圧部１４を有し、車両側取付け部２０には、被圧部１４を介して押圧部３２ａの前記押圧力の少なくとも一部を受け止める受止め部２２ａａと、前記押圧力の少なくとも一部により受け止め部２２ａａに生じる応力の方向は、組合せ方向および第一の方向により定まる仮想平面上に無い第二の方向であり、車両側取付け部２０のレール受け２３と電装品側取付け部１０のレール１６とは、前記押圧力により組み合わされて相互に固定される取付け具１である。
【００４０】
また上記において電装品側取付け部１０は、上面１１と下面１２とを有し、下面１２は上面１１に対して、図５に示す通り角度θを有して傾斜している。この傾斜角度θは、車両のフロントガラスの傾斜角度に対応させている。これにより、車載用電装品２は、フロントガラスの傾斜角度に依存せず、車両に対して一定の方向に取り付けることが可能になる。通常車両のフロントガラスの傾斜角度は、車両メーカおよび車種により異なる。そこで各車種に対応する傾斜角度の電装側取付け部１０を用意し、車種により使い分けることで、複数のフロントガラスの角度を考慮した取付け具を提供することができる。
【００４１】
≪変形例≫
以上、本発明の実施形態について説明したが、本発明はこれに限定されるものではなく、特許請求の範囲の趣旨を変えない範囲で実施することができる。実施形態の変形例を以下に示す。
【００４２】
図６に示すように、実施形態に係る車両側取付け部２０では、電装品側取付け部１０の左右両方の側面１５，１５にそれぞれレール１６が形成され、レール受け２３，２３にそれぞれ縦溝２３ａが形成されていた。ここでの、縦溝２３ａは、レール１６に係合する係合凹部である。これにより、電装品側取付け部１０を取付け位置に容易に導くことが可能であった。
【００４３】
しかしながら、図９に示すように、電装品側取付け部１０の左右両方の側面１５，１５にそれぞれ溝部１６Ａが形成され、レール受け２３，２３にそれぞれ突起部２３Ａが形成されていてもよい。ここでの、突起部２３Ａは、溝部１６Ａに係合する係合凸部である。この場合でも、電装品側取付け部１０を取付け位置に容易に導くことが可能である。なお、車両側取付け部２０は、レール受け２３，２３を具備しない構成であってもよい。
【００４４】
また、実施形態では、取付け具１の材料を特に限定していなかったが、放熱効果がある材料（例えば、アルミニウムや銅などの金属）を用いるのがよい。これにより、車載用電装品２で発生する熱を効率よく外部に逃がすことができる。例えば、車両側取付け部２０をアルミニウム等で鋳造してもよいし、樹脂成型後に表面（第１当接面である下面２１ｂおよび第２当接面である内面２２ａａの内の少なくとも何れかを含む）をめっき加工して製造してもよい。これにより、車載用電装品２で発生する熱は、車載用電装品２や車両側取付け部２０から空気中に放熱されると共に、車両側取付け部２０を介してフロントガラスに伝達し、フロントガラスで空気中に放熱される。
【００４５】
以上説明した実施形態におけるレールとレール受けは、電装側取付け部１０を車両側取付け部２０に滑らかに挿入でき、挿入後の位置が確定できればよい。あるいはその逆の、車両側取付け部を電装側取付け具に滑らかに挿入でき、挿入後の位置が確定できればよい。従ってこれらの機能を実現する他の構造、例えばかかるレールおよびレール受けを取り除き、電装側取付け部１０の側周面の一部と、車両側取付け部２０の側周側に設けられた壁部２２の内周の一部とが相互に噛み合い、レールとレール受けと同等の機能を実現している場合も、本発明に含まれる。
【００４６】
上記の観点から、次の構成も、本発明の範囲内である他の実施形態となる。即ち、少なくともカメラまたはレーダの何れかが搭載された車載用電装品２を、フロントガラスを有する車両に取り付ける取付け具であって、当該取付け具は、車両側取付け部２０と電装品側取付け部１０とが組み合わされた状態の構成を有し、車両側取付け部２０と電装品側取付け部１０の、何れかの一方には弾性体３０および組合せガイド２３を、何れかの他方には組合せガイド２３を受けるガイド受け１６を、それぞれ少なくとも有し、弾性体３０は、組合せ方向とは異なる第一の方向に押圧力を生み出す押圧部３２ａを有し、何れかの他方には、押圧部３２ａに対向し前記押圧力の少なくとも一部を受ける被圧部１４を有し、何れかの一方には、被圧部１４を経由した押圧力であって、押圧部３２ａの押圧力の少なくとも一部を受け止める受止め部２２ａａを有し、前記押圧力の少なくとも一部により受け止め部２２ａａに生じる応力の方向は、組合せ方向および第一の方向により定まる仮想平面上に無い第二の方向であり、車両側取付け部２０と電装品側取付け部１０とは、押圧力により組み合わされて相互に固定される取付け具１である。
【００４７】
また上記において電装品側取付け部１０は、上面１１と下面１２とを有し、下面１２は上面１１に対して、図５に示す通り角度θを有して傾斜している。この傾斜角度θは、車両のフロントガラスの傾斜角度に対応させている。これにより、車載用電装品２は、フロントガラスの傾斜角度に依存せず、車両に対して一定の方向に取り付けることが可能になる。通常車両のフロントガラスの傾斜角度は、車両メーカおよび車種により異なる。そこで各車種に対応する傾斜角度の電装側取付け部１０を用意し、車種により使い分けることで、複数のフロントガラスの角度を考慮した取付け具を提供することができる。
【００４８】
以上説明した通り、最初に記載した実施形態、および変形例として記載した他の実施形態における取付け具１の車両側取付け部２０を、車両のフロントガラスの車室内側、または車室内に取り付けることができる。この車両は、車室内の所定位置に車載用電装品２を固定することができ、これに備わった運転者支援機能等を確実に実行できる。また各車種に対応する傾斜角度の電装側取付け部１０を用意し、車種により使い分けることで、複数のフロントガラスの角度を考慮した取付け具を提供することができる。
【符号の説明】
【００４９】
１      取付け具
２      車載用電装品
２ｃ    筺体
１０    電装品側取付け部
１１    上面
１３    前面
１４    被圧部
１６    レール
２０    車両側取付け部
２１    天板部
２１ｂ  下面（第１当接面）
２２    壁部
２２ａａ  内面（第２当接面）
２３    レール受け
２３ａ  縦溝（係合凹部）
３０    弾性部
３１    接合部
３２    傾斜部
１６Ａ  溝部
２３Ａ  突起部（係合凸部）
【図１】
2017114466.tif 000003
【図２】
2017114466.tif 000004
【図３】
2017114466.tif 000005
【図４】
2017114466.tif 000006
【図５】
2017114466.tif 000007
【図６】
2017114466.tif 000008
【図７】
2017114466.tif 000009
【図８】
2017114466.tif 000010
【図９】
2017114466.tif 000011